(57)【要約】【課題】文字板の搬送性を向上できる時計を提供すること。【解決手段】文字板４は、該文字板４に形成された穴４３に、ムーブメント３に突設されたピン３２が挿入されることにより、ムーブメント３に固定される。従って、文字板４の固定のために文字板４にピンが突設されることがないので、文字板４を重ねて搬送する際に、文字板４がピンにより嵩さんでしまうことや、ピンにより傷ついてしまうことがなく、文字板４の搬送性を向上させることができる。また、文字板４に穴４３が形成されるので、冶具に従来形成される穴にピンを圧入して突設すれば、文字板４を位置決めすることができ、文字板４に係る様々な冶具を新たに製作することなくそのまま利用することができる。すなわち、本発明は、文字板４の設計変更に伴う設備コストを抑えながら、文字板４の搬送性を向上させることができる。【選択図】図３
2010243429.tif 000002
【特許請求の範囲】
【請求項１】
ムーブメント上に配置される文字板と、前記文字板上に配置されて前記ムーブメントにより駆動される指針とにより時刻表示を行う時計であって、
前記ムーブメントには、複数のピンが突設されているとともに、前記文字板において前記各足に対応する各位置には穴が形成され、
前記文字板は、前記各穴に前記各ピンが挿入されることにより、前記ムーブメントに固定される
ことを特徴とする時計。
【請求項２】
請求項１に記載の時計において、
前記ピンは、前記ムーブメントに形成された穴に圧入されることにより、前記ムーブメントに突設されている
ことを特徴とする時計。
【請求項３】
請求項１または請求項２に記載の時計において、
前記時計の外装ケースの内側には、前記文字板の側面に沿って対向配置される文字板押さえ部が形成され、
前記文字板押さえ部と前記文字板の側面との間には、僅かな隙間が形成されている
ことを特徴とする時計。
【発明の詳細な説明】
【技術分野】
【０００１】
本発明は、時計に関する。
【背景技術】
【０００２】
従来、指針および文字板により時刻表示を行うアナログ表示式の時計において、文字板の裏面側から突設した足を利用して文字板をムーブメントに固定するものが知られている（例えば、特許文献１）。
特許文献１に記載の時計では、文字板の裏面側に複数の足をロー付け等により突設するとともに、ムーブメント（ムーブメント上に設けられた基板）において前記複数の足に対応する各位置に穴を形成し、これらの穴に前記各足を圧入することにより、文字板をムーブメントに固定する。
【先行技術文献】
【特許文献】
【０００３】
【特許文献１】特開平７−２８０９５４号公報
【発明の概要】
【発明が解決しようとする課題】
【０００４】
しかしながら、特許文献１に記載の時計では、文字板に足が突設されているので、文字板を重ねて搬送する際に、ピンの分だけ文字板が嵩んでしまい、搬送器を十分に小型化できないという問題や、ピンにより文字板が傷ついてしまうおそれがある。
【０００５】
本発明の目的は、文字板の搬送性を向上できる時計を提供することにある。
【課題を解決するための手段】
【０００６】
本発明の時計は、ムーブメント上に配置される文字板と、前記文字板上に配置されて前記ムーブメントにより駆動される指針とにより時刻表示を行う時計であって、前記ムーブメントには、複数のピンが突設されているとともに、前記文字板において前記各足に対応する各位置には穴が形成され、前記文字板は、前記各穴に前記各ピンが挿入されることにより、前記ムーブメントに固定されることを特徴とする。
【０００７】
本発明によれば、文字板は、該文字板に形成された穴に、ムーブメントに突設されたピンが挿入されることにより、ムーブメントに固定される。従って、本発明では、文字板の固定のために文字板にピンが突設されることがないので、文字板を重ねて搬送する際に、文字板がピンにより嵩さんでしまうことや、ピンにより傷ついてしまうことがなく、文字板の搬送性を向上させることができる。
ここで、従来、印刷等の製造工程において文字板を位置決めするために用いる各種の冶具には、文字板から突設された足に対応する各位置に穴が形成されており、この穴に文字板の足を挿入することにより文字板を位置決めしている。
この点、本発明では、文字板に穴が形成されるので、従来の冶具の穴にピンを圧入して突設すれば、このピンを文字板の穴に挿入することで文字板を位置決めすることができ、文字板に係る様々な冶具を新たに製作することなくそのまま利用することができる。すなわち、本発明は、文字板の設計変更に伴う設備コストを抑えながら、文字板の搬送性を向上させることができる。
【０００８】
本発明の時計では、前記ピンは、前記ムーブメントに形成された穴に圧入されることにより、前記ムーブメントに突設されていることが好ましい。
背景技術で説明したように、従来、ムーブメントには、文字板の足が挿入される穴が形成されている。
本発明では、この穴にピンを圧入することでムーブメントにピンを突設することができるので、従来のムーブメントに特別な加工を施す必要がなく、従来のムーブメントをそのまま利用して文字板を固定することができる。従って、本発明は、従来の冶具に加えてムーブメントをもそのまま利用することができるので、文字板の設計変更に伴う種々のコストを抑えつつ、文字板の搬送性を向上させることができる。
加えて、従来は、文字板にロー付け等により足を突設していたので、足の付け根が弱く、時計が落下した際などにその衝撃により足が折れてしまうおそれがあった。これに対し、本発明では、ムーブメントに形成された穴にピンを圧入することによりムーブメントにピンを突設するので、ピンを強固に設けることができ、落下衝撃による折れを防ぐことができる。
【０００９】
本発明の時計では、前記時計の外装ケースの内側には、前記文字板の側面に沿って対向配置される文字板押さえ部が形成され、前記文字板押さえ部と前記文字板の側面との間には、僅かな隙間が形成されていることが好ましい。
本発明によれば、文字板の側面に沿って対向配置される文字板押さえ部と文字板の側面との間には、僅かな隙間が形成されているので、時計の落下衝撃が文字板に加わえられた際に、この隙間分、文字板を瞬間的に変位させることができ、文字板に加わる衝撃を和らげることができる。従って、これによりピンに加わる衝撃も和らげることができ、落下衝撃によるピンの折れを確実に防ぐことができる。
【図面の簡単な説明】
【００１０】
【図１】本発明の一実施形態に係る時計を示す外観図。
【図２】前記実施形態の時計の断面を模式的に示す図。
【図３】前記実施形態のムーブメントおよび文字板を示す斜視図。
【発明を実施するための形態】
【００１１】
以下、本発明の一実施形態を図面に基づいて説明する。
図１は、本実施形態に係る時計１を示す外観図である。
時計１は、図１に示すように、外装ケース２と、外装ケース２内に収容されたムーブメント３と、ムーブメント３上に配置された文字板４と、文字板４上に配置されてムーブメント３により駆動される時針１１、分針１２、秒針１３とを備え、これら指針１１〜１３および文字板４により時刻表示を行うアナログ表示式の時計として構成されている。
【００１２】
図２は、時計１の断面を模式的に示す図である。
外装ケース２は、図２に示すように、筒状の胴２１と、胴２１の表側に取り付けられたリング状の縁部材２２と、縁部材２２に嵌合されたカバーガラス２３と、胴２１の裏側に取り付けられた裏蓋２４とを備えている。縁部材２２の内周面には、内側に突出した見切部２２１が設けられており、縁部材２２は、この見切部２２１により、カバーガラス２３を支持するとともに、文字板４の縁部上面を押さえている。また、この縁部材２２および胴２１には、内側に文字板４が配置され、文字板４の側面４４に沿って対向配置される文字板押さえ部２５が形成されている。
ムーブメント３は、駆動源としてステッピングモーターを用いる電子式や、駆動源としてゼンマイを用いる機械式、駆動源としてゼンマイを用い、このゼンマイで駆動される発電機で調速する電子制御式機械式として構成され、指針１１〜１３の運針を駆動制御する。
【００１３】
図３は、ムーブメント３および文字板４を示す斜視図である。
このようなムーブメント３の上面３１（具体的には樹脂製または金属製の地板）には、図３に示すように、複数の金属製のピン３２が突設されている。ここで、従来、背景技術で説明したように、ムーブメント３の上面３１には、文字板固定用の穴３３が複数形成されており、文字板の裏面側に突設された足をこの穴３３に圧入することにより、文字板をムーブメント３に固定していた。そこで、本実施形態では、このムーブメント３の上面３１に形成される文字板固定用の穴３３を利用してピン３２を突設する。すなわち、本実施形態では、従来のムーブメント３をそのまま利用しており、従来ムーブメント３に形成される各穴３３にそれぞれピン３２を圧入することにより、ムーブメント３の上面３１に複数のピン３２を突設している。
【００１４】
文字板４は、金属製とされ、中央には、指針１１〜１３を駆動する軸３４（図２）が挿通する挿通孔４１が形成されている。このような文字板４の裏面４２側において、前記各ピン３２に対応する各位置には、凹状の穴４３が形成されている。本実施形態では、文字板４は、この凹状の各穴４３にムーブメント３に突設された各ピン３２が挿入されることにより、ムーブメント３に固定される。従って、本実施形態では、文字板４にピンが突設されることがないので、文字板４を重ねて搬送する際に、文字板４がピンにより嵩さんでしまうことや、ピンにより傷ついてしまうことがなく、文字板４の搬送性を向上させることができる。
【００１５】
図２に戻って、縁部材２２および胴２１の内側には、前述したように、このような文字板４の側面４４に沿って対向配置される文字板押さえ部２５が形成されている。この文字板押さえ部２５と文字板４の側面４４との間には、僅かな隙間Ｓが形成されている。この隙間Ｓにより、本実施形態では、時計１の落下衝撃が文字板４に加わえられた際に、文字板４を瞬間的に平面方向に変位させることができ、文字板４に加わえられる衝撃を和らげることができるので、ひいてはピン３２に加わる衝撃を和らげることができ、落下衝撃によるピン３２の折れを防ぐことができる。
【００１６】
以上の本実施形態によれば、以下の効果を奏することができる。
文字板４は、該文字板４に形成された穴３３に、ムーブメント３に突設されたピン３２が挿入されることによりムーブメント３に固定される。従って、文字板４の固定のために文字板４にピンが突設されることがないので、文字板４を重ねて搬送する際に、文字板４がピンにより嵩さんでしまうことや、ピンにより傷ついてしまうことがなく、文字板４の搬送性を向上させることができる。
【００１７】
従来、印刷等の製造工程において文字板を位置決めするために用いる各種の冶具には、文字板から突設された足に対応する各位置に穴が形成されており、この穴に文字板の足を挿入することにより文字板を位置決めしている。この点、本実施形態では、文字板４に穴４３が形成されるので、従来の冶具の穴にピン３２を圧入して突設すれば、このピン３２を文字板４の穴４３に挿入することで文字板４を位置決めすることができ、文字板４に係る様々な冶具を新たに製作することなくそのまま利用することができる。すなわち、本実施形態は、文字板４の設計変更に伴う設備コストを抑えながら、文字板４の搬送性を向上させることができる。
【００１８】
従来、ムーブメント３には、文字板の足が挿入される穴３３が形成されている。本実施形態では、この穴３３にピン３２を圧入することでムーブメント３にピン３２を突設するので、従来のムーブメント３に特別な加工を施す必要がなく、従来のムーブメント３をそのまま利用して文字板４を固定することができる。従って、本実施形態は、従来の冶具に加えてムーブメント３をもそのまま利用することができるので、文字板４の設計変更に伴う種々のコストを抑えつつ、文字板４の搬送性を向上させることができる。
【００１９】
加えて、従来は、文字板にロー付け等により足を突設していたので、足の付け根が弱く、時計が落下した際などにその衝撃により足が折れてしまうおそれがあった。これに対し、本実施形態では、ムーブメント３に形成された穴３３にピン３２を圧入することによりムーブメント３にピン３２を突設するので、ピン３２を強固に設けることができ、落下衝撃による折れを防ぐことができる。
【００２０】
文字板４の側面４４に沿って対向配置される外装ケース２の文字板押さえ部２５と、文字板４の側面４４との間には、僅かな隙間Ｓが形成されているので、時計１の落下衝撃が文字板４に加わえられた際に、この隙間Ｓ分、文字板４を瞬間的に変位させることができ、文字板１に加わる衝撃を和らげることができる。従って、これによりピン３２に加わる衝撃も和らげることができ、落下衝撃によるピン３２の折れを確実に防ぐことができる。
【００２１】
〔実施形態の変形〕
なお、本発明は前記実施形態に限定されるものではなく、本発明の目的を達成できる範囲での変形、改良等は本発明に含まれるものである。
前記実施形態では、ピン３２は、ムーブメント３に従来形成される穴３３に圧入されることで、ムーブメント３に突設されていたが、ピン３２は、ムーブメント３にインサート成形されることにより、ムーブメント３に突設されていてもよい。また、前記実施形態では、ピン３２は金属製であったが、ピンは樹脂製であってもよく、ムーブメント３の樹脂製の地板と一体に形成されていてもよい。
前記実施形態では、文字板４に形成される穴４３は、文字板４を貫通しない凹状の穴であったが、文字板４に形成される穴は、文字板４を貫通する穴であってもよい。
【符号の説明】
【００２２】
１…時計、２…外装ケース、３…ムーブメント、４…文字板、１１〜１３…指針、２５…文字板押さえ部、３２…ピン、３３…ムーブメントの穴、４３…文字板の穴、４４…文字板の側面、Ｓ…隙間。
【図１】
2010243429.tif 000003
【図２】
2010243429.tif 000004
【図３】
2010243429.tif 000005